(57)【要約】【課題】  隅棟の防水性能を高くすることができる隅部材の留付部材を提供する。【解決手段】  屋根の隅部材１の下側に配設される。隅部材１から固定具２を打入することにより隅部材１を留付けるための留付部材Ａに関する。屋根の隅棟３と略平行に長尺に形成される。上面に排水溝４が形成される。この排水溝４の底面４ａが上記固定具２の径よりも幅広に形成される。【選択図】図１
2010275768.tif 000002
【特許請求の範囲】
【請求項１】
屋根の隅部材の下側に配設され、隅部材から固定具を打入することにより隅部材を留付けるための留付部材であって、屋根の隅棟と略平行に長尺に形成され、上面に排水溝が形成され、この排水溝の底面が上記固定具の径よりも幅広に形成されて成ることを特徴とする隅部材の留付部材。
【請求項２】
排水溝の底面がその中央部よりも側端部の方が凹んで形成されて成ることを特徴とする請求項１に記載の隅部材の留付部材。
【請求項３】
排水溝の底面にパッキンが設けられて成ることを特徴とする請求項１又は２に記載の隅部材の留付部材。
【発明の詳細な説明】
【技術分野】
【０００１】
本発明は、隅瓦や隅役物などの隅部材を留め付けるための部材に関するものである。
【背景技術】
【０００２】
従来より、隅部材を屋根の隅棟に留め付けるにあたっては、留付部材が用いられている。例えば、特許文献１に記載された発明は、隅部材として隅棟鉄板を用い、これを留付部材である下地板で固定するものである。すなわち、図５に示すように、屋根の隅棟において、両側の野地板５０、５０の上に掛け渡すようにして下地板５１を配置し、これを釘５２で野地板５０に固定する。次に、下地板５１の上に複数枚の屋根材５３を重ねて配置すると共に隅棟を挟んで両側に配置された屋根材５３、５３に掛け渡すようにして隅棟鉄板５４を配設する。次に、隅棟鉄板５４の上方からビス５５を屋根材５３及び下地板５１にまで打入する。この後、隅棟鉄板５４の上にさらに屋根材５３を配置することによって、屋根の隅棟を形成することができる。
【先行技術文献】
【特許文献】
【０００３】
【特許文献１】特開平８−２７０１４８号公報
【発明の概要】
【発明が解決しようとする課題】
【０００４】
しかし、上記の従来例では、ビス５５の打入部分から雨水が浸入する場合があり、この雨水が下地板５１にまで達することになる。そして、この下地板５１には施工時の位置決めのしやすさや、ビス５５の導入等のために中央長手方向にＶ溝が形成してあって、このＶ溝に雨水が入り込んで流れることになるために、施工性の改善と相反してビス５５の打入部分に積極的に雨水が集中してしまい、下方に上手く流下させて排水することができず、防水性能が低いという問題があった。
【０００５】
本発明は上記の点に鑑みてなされたものであり、隅棟の防水性能を高くすることができる隅部材の留付部材を提供することを目的とするものである。
【課題を解決するための手段】
【０００６】
本発明の請求項１に係る隅部材の留付部材Ａは、屋根の隅部材１の下側に配設され、隅部材１から固定具２を打入することにより隅部材１を留付けるための留付部材Ａであって、屋根の隅棟３と略平行に長尺に形成され、上面に排水溝４が形成され、この排水溝４の底面４ａが上記固定具２の径よりも幅広に形成されて成ることを特徴とするものである。
【０００７】
本発明の請求項２に係る隅部材の留付部材Ａは、請求項１において、排水溝４の底面４ａがその中央部よりも側端部の方が凹んで形成されて成ることを特徴とするものである。
【０００８】
本発明の請求項３に係る隅部材の留付部材Ａは、請求項１又は２において、排水溝４の底面４ａにパッキン５が設けられて成ることを特徴とするものである。
【発明の効果】
【０００９】
請求項１の発明では、固定具２を伝って隅部材１の下側に浸入した雨水を、固定具２付近に集中させることなく排水溝４を通じて排水することができ、屋根の野地板等にまで雨水が浸入することがなくなって、隅棟の防水性を高めることができるものである。また、排水溝４の底面４ａを固定具２の径よりも幅広に形成することにより、底面４ａに打入された固定具２を伝って排水溝４に流れ込んだ雨水が固定部２付近に集中することなく拡がりやすくなり、排水を確実に行うことができるものである。
【００１０】
請求項２の発明では、排水溝４に流れ込んだ雨水が底面４ａの側端部を流れることになり、底面４ａの略中央部に打入された固定具２付近に雨水が集中することがなく、また、固定具２が排水の障害とならないようにすることができるものである。
【００１１】
請求項３の発明では、パッキン５を固定具２の周面に密着させることができ、雨水が固定具２を伝って底面４ａの下側にまで浸入するのをより確実に防止して防水性能をさらに高めることができるものである。
【図面の簡単な説明】
【００１２】
【図１】本発明の実施の形態の一例を示す断面図である。
【図２】同上の斜視図である。
【図３】同上の他の実施の形態を示し、（ａ）（ｂ）は断面図である。
【図４】同上の他の実施の形態を示し、（ａ）（ｂ）は断面図である。
【図５】従来例を示す断面図である。
【発明を実施するための形態】
【００１３】
以下、本発明を実施するための形態を説明する。
【００１４】
本発明の留付部材Ａは樹脂成形品や木材等で長尺に形成されるものであって、その上面には長尺方向の全長にわたって排水溝４が形成されている。排水溝４は留付部材Ａの長手端面１０に開口して形成されている。また、排水溝４の底面４ａは略平坦面であって、後述の固定具２の外径よりも大きい幅寸法（長手方向と直交する方向の寸法）に形成されている。また、留付部材Ａの両方の外側面の下部には取付部１１、１１が長手方向の全長にわたって突設されていると共に留付部材Ａの下面は逆Ｖ字状に形成されている。
【００１５】
本発明の留付部材Ａは屋根の隅棟３に配設される。すなわち、図１に示すように、隅棟３には野地板等の屋根下地１２が設けられており、この屋根下地１２の上に留付部材Ａを隅棟３の全長にわたって取り付けるようにする。この場合、屋根下地１２は頂部１２ａを挟んで両側に下り傾斜しており、留付部材Ａはその下面を屋根下地１２の上面に接した状態で頂部１２ａを跨ぐようにして配置する。このとき、隅棟３の軒側端部においては、図２に示すように、屋根下地１２の上には軒先水切り１３が設けられており、この軒先水切り１３の上に留付部材Ａの軒側端部を載置する。この後、取付部１１の上側から屋根下地１２にまで釘等の取付具１６を打入することによって、留付部材Ａを屋根下地１２に固定する。
【００１６】
次に、留付部材Ａの上方に隅部材１を配置する。隅部材１は例えば隅瓦などであって、断面略逆Ｖ字状に形成されている。そして、隅部材１の頂部１ａの上方からビス等の固定具２を留付部材Ａの排水溝４の底面４ａに打入することによって、隅部材１を留付部材Ａに留付けることができる。このとき、固定具２の頭部２ａと隅部材１の上面との間には防水性の確保のためにパッキン１４を設けることができる。また、上記のように固定具２の打入部分の外径は排水溝１４の底面４ａの幅寸法よりも小さいので、底面４ａの幅方向の略中央部に打ち込むことができる。
【００１７】
この後、隅部材１の両側に地瓦などの通常の屋根材１５を配設する。このとき、屋根材１５の側端部には実部１５ａが突設してあって、この実部１５ａを隅部材１の側端部に設けた実受け部１ｂに載置することにより、隅部材１と屋根材１５とを接続するようにする。また、隅部材１は屋根材１５と固定したり屋根下地１２に固定される。このようにして屋根の隅棟３を形成することができる。
【００１８】
本発明の留付部材Ａでは、固定具２のパッキン１４が施工時に切れたり経年劣化により防水機能が損なわれたりして、雨水が固定具２を伝って流れても、排水溝４を通じて軒先にまで連続的に流して排水することができる。また、隅部材１の働き面（曝露面）の中央ではなく、隅部材１の頂部１ａの稜線上に固定具２を打入するため、固定具２が目立たなくなり、美観が極端に低下することがないものである。また、固定具２の頭部２ａの周辺にシーリング処理を施す必要が無く、美観上の問題が生じず、作業手間も軽減されるものである。
【００１９】
図３（ａ）に他の実施の形態を示す。この留付部材Ａは、排水溝４の底面４ａの形状が異なる以外は、図１の実施の形態と同様である。すなわち、排水溝４の底面４ａにはその両方の側端部（幅方向の端部）に凹段部４ｂ、４ｂが排水溝４の全長にわたって形成されていると共に底面４ａの中央部が平坦面４ｃとして形成されている。
【００２０】
また、図３（ｂ）に示す他の実施の形態では、留付部材Ａの排水溝４の底面４ａがその中央部から両方の側端部に向かって下り傾斜するように、上方へ凸曲するものであり、これ以外は、図１の実施の形態と同様である。このように図３（ａ）（ｂ）のものでは、排水溝４の底面４ａがその中央部よりも側端部の方が凹んで形成されており、これにより、排水溝４の側端部に沿って雨水が流れるものであり、固定具２を底面４ａの中央部に打ち込んでも、雨水の排水の障害にならないものである。
【００２１】
図４（ａ）に他の実施の形態を示す。この留付部材Ａでは、排水溝４の底面４ａにパッキン５を全長にわたって密着して設けたものである。また、図４（ｂ）のものでは、排水溝４の底面４ａと側面４ｄにパッキン５を全長にわたって密着して設けたものである。その他の構成は図１のものと同様である。樹脂製の留付部材Ａでは、直接水に接しても腐食の問題が生じにくいが、木製の場合、パッキン５で直接水が接しないようにすることで、長期耐久性を確保することができる。
【符号の説明】
【００２２】
１  隅部材
２  固定具
３  隅棟
４  排水溝
４ａ  底面
５  パッキン
【図１】
2010275768.tif 000003
【図２】
2010275768.tif 000004
【図３】
2010275768.tif 000005
【図４】
2010275768.tif 000006
【図５】
2010275768.tif 000007